Podtech/llm-jp-corpus-v4-ja_patent huggingface dataset:
(57)【要約】【課題】  本考案は人が鏡に正面を向いて自身の生の姿や顔を写してみるように、但し、鏡のような実物と左右反対の虚像ではなく、自身の実像を写して見ることができるようにする。【解決手段】  本考案はビデオ再生画面１の中央部に小型ビデオカメラレンズ部２を設置し再生画面の後方にビデオカメラ本体３、電気配線４、ビデオ録画・再生装置５を配置し、再生画面の正面に位置する被写体兼視聴者６をビデオカメラで撮影しその映像を再生画面に写すことによって被写体兼視聴者はあたかも鏡の前で自身を見るように、しかも実像の状態で見ることができる。【選択図】  図１
0003107874.tif 000002
【実用新案登録請求の範囲】
【請求項１】
ビデオ再生画面の中央部に当該画面前方に向かって当該画面と同一面上にビデオ撮影可能な小型カメラレンズ部を配置し、当該レンズを含むビデオカメラ本体を当該画面後方に一体に設置し、当該ビデオカメラで撮影した映像を当該画面上に再生することを特徴とするビデオ再生画面
【考案の詳細な説明】
【技術分野】
【０００１】  本考案は、画面中央部に小型ビデオカメラレンズ部を内設したビデオ再生画面に関するものである。
【背景技術】
【０００２】  人が自分の顔や姿をビデオカメラで撮影し同時に生でその映像を再生画面で見たい時、その人がカメラ目線の場合は再生画面が見えないし、逆に再生画面を見ている場合は映像の視線がカメラ目線にならず、いずれの場合も実物と映像の視線が正対できなかった。
【考案の開示】
【考案が解決しようとする課題】
【０００３】  従来、人が自分の顔や姿を生で正面から見る方法として鏡に写して見ることがあったがその写像は実物とは左右反対の虚像であった。また、ビデオで撮影して再生画面で見る方法もあったが、この方法ではビデオカメラレンズ部がビデオ再生画面上に設置されていなかったため鏡で見るように映像上の自分の生の視線と真正面から正対して見ることができなかった。そこで、ビデオカメラレンズ部をビデオ再生画面上の中央部に設置することにより上述の欠点を解決しようとするものである。
【課題を解決するための手段】
【０００４】  本考案は、ビデオ再生画面の中央部に画面前方に向かって小型ビデオカメラのレンズ部を画面と同一面上に配置し、ビデオカメラ本体を画面装置内に設置することによって問題点を解決している。
【考案の効果】
【０００５】  上述の様に、ビデオ再生画面の中央部に小型ビデオカメラレンズ部を設置したので、人は再生画面によって鏡で見るように映像上の自分の生の視線と真正面から正対して見ることができ、しかも鏡のような左右反転の虚像ではなく、実像で見ることができ、自分の生の表情や姿・形を映像として自分の真正面から見ることができるようになった。
【考案を実施するための最良の形態】
【０００６】  人はビデオ再生画面の正面に位置し視線を再生画面中央のビデオカメラレンズに向けた状態でビデオカメラを撮影モードにしその再生映像を再生画面に再生する。これにより、人は撮影されている自身の生の姿を再生画面で真正面から映像の自身の視線と対面しながら実像で見ることができる。さらに、映像を拡大・縮小したり、録画して保存し後刻再生して見ることもできる。このようにして再生された映像は、鏡に写した映像のような被写体とは左右反対の虚像ではなく被写体が他人に真正面から見られているのと同じ実像であり、この考案の実施により、自身の正面にあたかも自身が対面して自身を見るかのような状況が可能になる。
【実施例】
【０００７】  以下、添付図面に従って実施例を説明する。１はビデオ再生画面で、２はビデオカメラレンズ部であり、６は再生画面に顔の正面を向けた被写体兼視聴者である。カメラレンズの前面は再生画面と同一面に設置され、被写体兼視聴者の顔を真正面から撮影可能なように再生画面に内設されている。３はビデオカメラ本体で、５はビデオ録画・再生装置であり、４は電気配線であり、ビデオカメラレンズ部から取り込まれた映像をビデオ映像として録画・再生して再生画面に再生するものである。７は被写体兼視聴者のビデオ再生映像であり、被写体兼視聴者と再生画像の視線はお互いに真正面から対面し、一例として被写体兼視聴者が左手を上げたときは再生映像も左手を上げたものとなる。すなわち、被写体兼視聴者は再生画面で生の自身の実像を真正面から対面した状態で即時に見ることができる。また、録画して後刻再生して見ることもできる。
【図面の簡単な説明】
【０００８】
【図１】本考案の小型ビデオカメラ付きビデオ再生画面の実施例を示す一部切欠側面図である。
【図２】本再生画面のＡ矢視正面図である。
【図３】本再生画面のＢ矢視正面図である。
【符号の説明】
【０００９】  １  ビデオ再生画面
２  ビデオカメラレンズ部
３  ビデオカメラ本体
４  電気配線
５  ビデオ録画・再生装置
６  被写体兼視聴者
７  被写体再生画像
【図１】
0003107874.tif 000003
【図２】
0003107874.tif 000004
【図３】
0003107874.tif 000005
(57)【要約】      （修正有）【課題】本考案は、携帯電話に取り付けてもストラップが浮いていることで、手に不快感を与えることもなく、且つ、暗いころでも簡単に探すことができる携帯電話用風船ストラップの提供。【解決手段】本考案は携帯電話３に紐状部材２の付いた蛍光色の施された風船ストラップを取り付ける。ストラップ１は風船で浮いているため手に不快感を与えず、且つ、風船ストラップ１が蛍光色を施してあるために暗いところでも携帯電話の正確な位置を知ることができる。【選択図】図１
0003107876.tif 000002
【実用新案登録請求の範囲】
【請求項１】
携帯電話本体に取付けるアクセサリとしての携帯用ストラップに，蛍光色の風船部材の付いた携帯電話用ストラップ。
【請求項２】
上記風船部材はヘリウムガスを使用し、中に浮いている特徴の請求項１記載の携帯電話用ストラップ。
【請求項３】
上記風船部材は蛍光色を施されたことを特徴とする請求項１記載の携帯電話用ストラップ。
【考案の詳細な説明】
【技術分野】
【０００１】  本考案は、携帯電話に取り付けられるストラップに関する。
【背景技術】
【０００２】  従来の携帯電話用ストラップは吊り下げられる物ばかりで中には手に不快感を与える物もある。【０００３】  また、暗いところで携帯電話を使用する際に、従来のストラップでは携帯電話の正確な位置を知らせることが困難である。
【考案の開示】
【考案が解決しようとす課題】
【０００４】  そこで本考案は、携帯電話に取り付けても手に不快感を与えず、暗いところでも簡単に携帯電話の正確な位置を知らせるストラップの提供を課題とする。
【課題を解決するための手段】
【０００５】  上記課題を解決するために、請求項１記載の本考案に係る携帯電話ストラップは、携帯電話に接続するストラップに蛍光色の施された風船部材が取り付けられていることにより、問題点を解決している。
【考案の効果】
【０００６】  上述の様に、本考案の蛍光色の風船ストラップは中に浮いてる状態なので、手に不快感を与えず、且つ、暗いところでの携帯電話の正確な位置を知らせることに役立つ。
【考案の実施するための最良の形態】
【０００７】  本考案の実施の形態を添付図に基づいて以下に説明する。
図１に示すよう、蛍光色の施された風船部材１には、あらかじめ軽量の紐状部材２が接続されている。また、其の紐状部材２の方を携帯電話３に接続する。
【実施例】
【０００８】  以下、添付図面に従って一実施例を説明する。１は耐久性の有るゴムで製造されており、紐状部材２と一体化されている。【０００９】  また、風船部材１にあっては、紐状部材２を携帯電話３に接続後にヘリウムガスを注入出来る構造になっている。【００１０】  図１に示すように風船部材１はヘリウム注入後で浮いている状態を表す。【００１１】  図１に示す風船部材１には蛍光色が施してあるため、暗いところでも簡単に携帯電話を探すことができる。
【産業上の利用可能性】
【００１２】  本考案は、携帯電話用ストラップに適用可能である。
【図面の簡単な説明】
【００１３】
【図１】本考案の正面図
【符号の説明】
【００１４】  １  ストラップ
２  紐状部材
３  携帯電話
【図１】
0003107876.tif 000003
(57)【要約】【課題】  梅干を製造する過程における漬け込み作業の際に発生する酸に強く、用途に応じてロープ等を施せるなどの利便性に優れ、また持ち運びや未使用時の保管が容易にできる等の特徴を備えたおもしを提供する。【解決手段】  対面する側面二面の上辺から３〜６センチメートルの位置に、端部から端部まで深さ３センチメートルの溝2を設けた、大きさは１０数センチメートル角程度、重量は１０キログラム前後からなる、石（花崗岩）を加工した四角柱1である。【選択図】  図１
0003107880.tif 000002
【実用新案登録請求の範囲】
【請求項１】
コンパクトでシンプルな形状である四角柱に加工した石（花崗岩）に、対面する側面二箇所に溝を設ける事で、持ち運び等の作業能率を良くし、また省スペースでの保管が可能になった梅漬け用おもし。
【考案の詳細な説明】
【技術分野】
【０００１】
本考案は、梅漬け用おもしに関するものである。
【背景技術】
【０００２】
従来、自然石や市販のプラスチック加工製品が多く使用されている。
【考案の開示】
【考案が解決しようとする課題】
【０００３】
しかし、前者は自然のものであり形状・重量共均一でない為に作業能率が悪く、また保管が乱雑になり手間取っていた。後者はコンクリート等の表面をプラスチック加工した円盤型の製品の為、未使用時は屋内等の直射日光を避けた保管でないと表面が割れ次回からの使用が不可能になったり、またその形状から保管にスペースをとる等の問題点を有していた。
【課題を解決するための手段】
【０００４】
上記課題を解決する為に、石（花崗岩）を加工した四角柱１は、その対面する側面二箇所に溝２を設け、形状・重量共均一化させたものである。
【考案の効果】
【０００５】
おもし重量の計算が容易で、梅漬け時の沈下に伴うおもしの上げ下ろしも、石に溝を設ける事でロープ等を施す事ができるなどの作業能率が良くなる。また直射日光にも強い為、未使用時の保管が屋外のしかも省スペースででき、また梅漬け時の酸にも強く長期使用が可能になる。
【考案を実施するための最良の形態】
【０００６】
以下、本考案を実施するための最良の形態を図面に基づいて説明する。
【０００７】
図１は本考案である梅漬け用おもしの斜視図である。
【０００８】
１は四角柱に加工した石（花崗岩）で、大きさは十数センチ角程度、重量は１０キロ前後と用途に応じて選択でき、また、このコンパクトでシンプルな形状は未使用時の省スペースでの保管を可能にしている。
【０００９】
１は材質に石（花崗岩）を使用している為、梅漬け時の酸や未使用時の屋外保管で受ける直射日光等に強いという特徴がある。
【００１０】
２は四角柱１の対面する側面二面の上辺から３〜６センチメートルの位置に、横方向の端部から端部へ設けた深さ３センチメートルの溝で、大人の指が容易に入ることで持ち運び等の作業能率が良い。また、梅漬け時の沈下に伴うおもしの上げ下ろしの際も、ここにロープ等を施せるようになっている。
【図面の簡単な説明】
【００１１】
【図１】梅漬け用おもしの斜視図である。
【図２】梅漬け用おもしの断面図である。
【符号の説明】
【００１２】
１  梅漬け用おもし
２  溝
【図１】
0003107880.tif 000003
【図２】
0003107880.tif 000004
(57)【要約】      （修正有）【課題】身体に障害のある方でも入浴時において身体の着座、移乗、保持、起立の行為において安心して使用出来る老人や、身障者に配慮した浴槽を提供する。【解決手段】浴槽上部にカマボコ形状の手摺を周囲水平方向に一体形成しどの位置においても上部手摺に手をかけることが出来、尚かつ浴壁を垂直にすることと浴槽を一定の深さにし、腰掛台を置くことで身体の保持、着座、起立、移乗の行為を容易にする【選択図】図１−４
0003107869.tif 000002
【実用新案登録請求の範囲】
【請求項１】
手摺部分が浴壁上部周囲水平方向に一体となり形成した浴槽において、前記手摺部分が半円形のカマボコ状の形状を有しており前記手摺部分と浴壁部分と浴床部分で構成し、一体形成した特長のある浴槽。
【請求項２】
前記手摺と部分と一体と形成した浴壁の短辺方向と長辺方向の隣り合う部分の、コーナーは、丸みを持った形状で一体となり四方の浴壁は、垂直に出来ているのが特徴。
【請求項３】
前記浴壁部分と、浴床部分の隣り合うコーナーは、丸みを持った形状で一体となり、座り台を使用するため一般の浴槽より深いのが特徴。
【考案の詳細な説明】
【技術分野】本考案は住宅、介護施設等に設置される浴槽に関するものである。
（背景技術）
老人または、身体に障害を持つ方に配慮した浴槽の寸法は、いくつかのバリエーションがあり身体にあったものを選ぶことができることと、浴槽内に手摺の部分を設置することで老人、身障者の入浴時に際して身体の移乗、着座、身体の保持、起立の行為を補助と、なるようしている。
しかしながら従来の浴槽では移乗時、着座時、起立時において常に手摺に手を、かけながら前述の動作をすることが出来ず身体の保持も従来の浴槽では、背もたれが傾斜していて身体が浮きやすいなど老人、身障者に配慮した浴槽本来の機能が良好に発揮させることが出来ないものである。
上記の問題は、前述の動作、行為において手足が弱い、不自由な方ほど顕著になるものであり改善の余地がある。
（考案が解決しようとする課題）
本考案が前述の状況を鑑み、解決しようとするところは、特に手の握力の弱い方、又、手足の不自由な方であっても入浴の際の移乗時、着座時、起立時、常に浴槽上部を手摺として使用することが出来そして、身体を保持するにあたり浴壁周りを垂直にすること浴槽内に腰掛台を使用出来るなど老人、身障者に配慮した手摺付一体型浴槽を提供するてんにある。
（課題を解決するための手段）
本考案は、前述の課題解決のために、浴槽上部前周に手摺を備え形成し、浴壁周りを、垂直にし腰掛台を使用するにあたり浴槽全体が深いのが特徴である。
前記、カマボコ形状に形成された手摺は、上方向からは身体を支えるために手にフィットし掴むことが容易で浴槽内外からは、身体を引き寄せるために手の指の掛が良く浴槽上部水平方向どの位置においても前述の行為が容易で安心感の持てるものである。
前記、浴壁周りを垂直にしたことで浴壁に背中と、前方浴壁に足を当てることで身体が前への滑り込みと、浮き上がり防止に効果をなしている。
前記、浴槽内に腰掛台を設置することで起立、浴槽内外への移乗等の行為に効果をなしている。
（考案を実施するための最良の形態）
写真Ｄ−１は、浴槽設置後の様子を見ると右横、手前に移乗台が見える状況は、左側の手足が不自由な方のための設置状況である。右側の手足の不自由な方の場合は、移乗台を左側へ移すことで対応出来る状態に浴槽が設置してあることが解る。
写真Ｄ−２は左側手摺部分の状態が解る。
写真Ｄ−３は前述の左の手が不自由の場合の右手による着座、起立の行為の状態。
図１−５からは、浴槽の部分が大まかに四つに分かれて構成されていて、４，３，２，１と接続されて形成される。
（考案の効果）
請求項１よれば浴槽上部がカマボコ形状の手摺を有しており周囲水平方向に、一体となりどの位置においても掴むことが出来、安心して身体を支えることが出来る。
請求項２よれば浴壁は、垂直に形成しており背中と、前方浴壁に足を着けることで浮き上がり防止に効果をなしている。
請求項３によれば浴槽全体が深く座り台を使用することで着座、起立、移乗の行為に効果をなしている。
【図面の簡単な説明】  図１−１  浴槽平面寸法図
図１−２  浴槽長手方向側面図
図１−３  浴槽短手方向側面図
図１−４  浴槽上部手摺部分断面詳細図
図１−５  浴槽部分構成図
【符号の説明】
図１−５Ａ  浴槽上部手摺部分
同      Ｂ  浴壁部分
同      Ｃ  浴床部分
同      Ｄ  袴部分
（写真の説明）
Ａ−１  全体深さの測定        Ｃ−１  正面及び右側面
Ａ−２  長さの測定            Ｃ−２  上部より全体
Ｂ−１  内部深さの測定        Ｄ−１  設置後正面
Ｂ−２  巾の測定              Ｄ−２  浴槽左側取り合い
Ｄ−３  使用状態
図面
図１−１  平面図
図１−２  長手方向側面図
図１−３  短手方向側面図
図１−４  手摺部断面図
図１−５  部品の構成と符号
写真
Ａ−１，２  全体深さと、全体長さ寸法
Ｂ−１，２  内部深さと、全体巾寸法
Ｃ−１，２  正面、右横と、上部斜視
Ｄ−１，２、３  設置状況、左側取り合い、使用状況
【図１−１】
0003107869.tif 000003
【図１−２】
0003107869.tif 000004
【図１−３】
0003107869.tif 000005
【図１−４】
0003107869.tif 000006
【図１−５】
0003107869.tif 000007
【手続補正書】
【提出日】平成16年11月1日(2004.11.1)
【手続補正１】
【補正対象書類名】実用新案登録請求の範囲
【補正対象項目名】全文
【補正方法】変更
【補正の内容】
【実用新案登録請求の範囲】
【請求項１】
浴壁部分と浴床部分とを備える浴槽において、
前記浴壁部分の上端の全周には、手摺部分が形成されており、
前記手摺部分は、前記浴壁部分の上方に突出するように、半円形のカマボコ状に形成されていることを特徴とする浴槽。
【請求項２】
前記浴壁部分のコーナーは、丸みを持った形状に形成されており、
前記浴壁部分と前記浴床部分とは、垂直にされていることを特徴とする請求項１に記載の浴槽。
【請求項３】
前記浴壁部分と前記浴床部分との間のコーナーは、丸みを持った形状に形成されていることを特徴とする請求項１又は２に記載の浴槽。
(57)【要約】      （修正有）【解決手段】ごみ袋の開口部分に両面テープを取り付ける。【効果】ごみ袋の開口部分に両面テープを取り付けることにより、ごみの収容量の増加、異臭の外部放出の防止、最後に両面テープの接着という簡単な作業によりごみを捨てられる。【選択図】図２
0003107861.tif 000002
【実用新案登録請求の範囲】
【請求項１】
ごみ袋の開口部分の片面に両面テープを取り付け、ごみ袋が一杯になった（又はごみを捨てる日）に両面テープの表面を取り去り、ごみ袋の開口部分を接着することにより、完全に袋が密閉され、そのまま捨てる事ができる。両面テープ付ごみ袋
【考案の詳細な説明】
【技術分野】
【０００１】  本考案は、ごみ袋の開口部分に両面テープを取り付けた、両面テープ付ごみ袋に関するものである。［背景技術］【０００２】  ごみ袋を捨てるときに、開口部分を結んだり、ひも付ごみ袋の場合はひもを引っ張り結んでいたが、ごみの収容量も袋一杯にならず、又異臭を放ったりしていた。［考案の開示］［考案が解決しようとする課題］【０００３】  従来の開口部分を結んだ場合には、ごみの収容量も少なく、又異臭が外にまで広がってしまう恐れがあったが、両面テープで開口部分を完全に密封することにより、ごみの収容量も増加し、異臭も外に広がらないし捨てるのも簡単である。［問題を解決するための手段］【０００４】  本考案は、ごみ袋の開口部分に両面テープを取り付けることにより、従来の開口部分を結んでいたものよりも、ごみの収容量も増加し、両面テープで接着することにより完全に密封され異臭も外にもれなく、捨てるのも簡単である。［考案の効果］【０００５】  上述のように、両面テープを取り付けるごみ袋は、袋の形が封筒状になっているものは、開口部分の上部を折り曲げることにより密封できますし、真四角のものは開口部分の片面に両面テープが取り付けられていますから、開口部分を接着することにより完全に密封できる。［考案の実施するための最良の形態］【０００６】  ごみ袋の開口部分に両面テープを取り付けることにより、ごみ袋の収容量の増加、異臭の外部放出の防止、又捨てる時は開口部分の両面テープの表面をはがし接着するだけであり、非常に簡単である。
【図面の簡単な説明】
【０００７】
【図１】封筒状のごみ袋の平面図である。
【図２】真四角のごみ袋の平面図である。
【符号の説明】
【０００８】１  両面テープの取り付け箇所２  捨てるときに折り曲げる箇所３  片面に両面テープを取り付ける箇所
【図１】
0003107861.tif 000003
【図２】
0003107861.tif 000004
【手続補正書】
【提出日】平成16年8月27日(2004.8.27)
【手続補正１】
【補正対象書類名】実用新案登録請求の範囲
【補正対象項目名】全文
【補正方法】変更
【補正の内容】
［書類名］      実用新案登録請求の範囲
［請求項１］
ごみ袋の開口部分の片面に両面テープを取り付け、ごみ袋が一杯になった場合に両面テープの表面を取り、ごみ袋の開口部分を接着することにより、完全に袋が密閉され、そのまま捨てられる、両面テープ付ごみ袋。
(57)【要約】      （修正有）【解決手段】塩化ビニール製で表面をアルミ箔コーティングし内側にヘリゥムガスを入れた介護衣類を介護患者及び肢体の不自由な人が体の悪い部分に装着する。【効果】介護患者及び肢体の不自由な人が体の悪い部分に介護衣類を着る(装着)ことにより、その部分の体重が軽くなり、リハビリ等の運動が容易になることは元より、介護福祉士の労力が少なくて済む。【選択図】図１
0003107870.tif 000002
【実用新案登録請求の範囲】
【請求項１】
介護用衣類については、全体を塩化ビニール製で作り、これを使用する人が介護者を中心とするところの肢体不自由者であるので、火気等に注意することを重点として、この商品の表面にアルミ箔をコーティングするものとする。
また、衣類の厚み(図8の介護衣類の断面図の(あ)にへリュウムガスの入る厚みを変える)を変える事により、体重、又は、肢体不自由な度合いに応じて作成をすることがベストと考えられる。
この商品については、介護患者はともかく、世の中には、肢体の不自由なことで、施設等に入所されている方も多くおられるので、この商品を体の悪い部分に装着することで、体の一部の重力(体重)を少なくすることにより、リハビリ運動又は、日常生活の手助けになるものと考えられる。
【考案の詳細な説明】
【技術分野】
【０００１】
本考案は、介護用衣類として、全体を5分割〔図１は全体図        図２は体の上半身部分図・図３は左手部分図・図４は右手部分図・図5は左足部分図・図6は右足部分図にし、介護患者また
は肢体不自由な人の不自由な部分に着る(装着)ことにより、体重
を軽くし、リハビリ運動をより簡単にすることで、介護福祉士等の労力を少なくすることができるものと考えられる。
【背景技術】
【０００２】
従来この種のような介護用衣類については、図1(全体部分図)のような物は現在のところしられていない。
【考案の開示】
【考案が解決しようとする課題】
【０００３】
従来では、介護患者等肢体不自由者の介護及びリハビリ運動等に
については、介護者本人は元より介護福祉士も大変な重労働となつていたので、このことを改善するために、介護用衣服を着せる(着用)することで、問題は解決できるものと考えられる。
【０００４】
現在では、介護患者及び肢体不自由な人のリハビリ運動を行う時には、介護患者及び肢体不自由な人にこの介護用衣類(図1は全体部分図)を着せる(装着)ことにより、介護福祉士が介護の手助けをする際には介護福祉士においては、大変な重労働となつていることが、少しでも解決すると考えられる。
【課題を解決するための手段】
【０００５】
介護福祉士の介護の手助けを少しでも少なくするために、介護患者及び肢体不自由な人にこの介護用衣類(図1は全体部分図)を着せる(装着)ことにより、介護患者のリハビリ運動が、今まで以上に動きが簡単になることと、これを装着することで、患者自身の体重が軽くなるので、介護福祉士の補助活動が以前より、簡単になり介助活動が楽になると考えられる
【考案の効果】
【０００６】
この商品(図１)を介護患者等の肢体不自由者が悪い部分を着る(装着)ことにより、患者の体重が軽くなり、リハビリ等の運動がスム
ズになることで、介護福祉士等の手助け(介助者)の労力が少なくて
済むようになる。
【考案を実施するための最良の形態】
【０００７】
考案実施の形態については、図面を参照して説明をする。
【０００８】
この商品(図１)を介護患者及び肢体不自由な人の悪い部分を着る(装着)ことにより、患者の体重が軽くなり、リハビリ等の運動がスムズになることで、介護福祉士等の手助け(介助者)の労力が少なくて済むものと考えられる。
【図面の簡単な説明】
【０００９】
【図１】実用新案登録申請の介護衣類(全体着用部分図)
【図２】〃          〃    (上半身(上着)着用部分図・展開図)
【図３】〃          〃    (左手着用部分図・展開図)
【図４】〃          〃    (右手着用部分図・展開図)
【図５】〃          〃    (左足着用部分図・展開図)
【図６】〃          〃    (右足着用部分図・展開図)
【図７】〃          〃    (へリュウムガス注入口図)
【図８】〃          〃    (介護用衣類の断面図)
【符号の説明】
【００１０】
１    へリュウムガス注入口位置図
２    着脱用面ファスナー
３    へリュウムガス注入口拡大図
４    介護用衣類の断面図
【図１】
0003107870.tif 000003
【図２】
0003107870.tif 000004
【図３】
0003107870.tif 000005
【図４】
0003107870.tif 000006
【図５】
0003107870.tif 000007
【図６】
0003107870.tif 000008
【図７】
0003107870.tif 000009
【図８】
0003107870.tif 000010
【手続補正書】
【提出日】平成16年10月20日(2004.10.20)
【手続補正１】
【補正対象書類名】実用新案登録請求の範囲
【補正対象項目名】全文
【補正方法】変更
【補正の内容】
【実用新案登録請求の範囲】
【請求項１】
衣類全体を塩化ビニ−ル製で作り、その内側にヘリューム
ガスを入れ、それを介護患者等に着用させる事で体重が軽くなり
運動がスームズに出来る事を特徴とする介護用衣類。
(57)【要約】      （修正有）【課題】通夜、告別式において遺族、参列者が故人に対する生前の思いを書きしるし、霊前に供えるとともに、棺の中に入れ弔意を表すことができる弔意表示用花短冊の提供。【解決手段】可燃性材料により成る短冊に可燃性材料の造花を装着し、短冊を可燃性材料より成る筒体により覆うようにした弔辞表示用花短冊。【選択図】図１
0003107865.tif 000002
【実用新案登録請求の範囲】
【請求項１】
可燃性材料より成る短冊状の表面に可燃性材料による造花の装飾が施されるとともに、短冊本体に宗教、宗派を問わず弔辞記入部分を有することを特徴とする弔辞表示用短冊。かつ、短冊に弔辞記入後、弔辞を他人に見られないように可燃性材料で筒状にしたもので短冊を覆うもの。
【請求項２】
造花は種類、大小を問わず簡単に変更が可能としたもの。
【考案の詳細な説明】
【技術分野】
【０００１】本考案は、通夜、告別式において、遺族、参列者が故人に対する生前の思いを、造花を装着した短冊に書きしるし、霊前の前に供えるとともに、棺の中に入れ弔意を表すことができる弔辞表示用花短冊とする。【０００２】本考案は、短冊に弔辞記載後、筒状のもので覆い、記載者のプライバシーを侵害することはない。
［背景技術］【０００３】従来、弔辞をしるすことを目的とした造花を装着した短冊は存在しない。
［考案の開示］
［考案が解決しようとする課題］【０００４】我国において、通夜、告別式における弔意の書きしるしと読み上げは、生前故人と懇意にあった特定の人物だけにかぎられており、家族を始め多くの参列者はその弔辞を聞くにとどまっている。
［課題を解決するための手段］【０００５】多くの参列者が弔辞を書きしるし、それを霊前に供え、かつ棺の中に入れてお別れすることは心と魂をつなぐ大切なことと考えられる。
［考案の効果］【０００６】本考案によれば、通夜、告別式への出席者等が故人に対して、お別れの言葉を書き、霊前に供えることができ、又、可燃性材料よりなるためお棺の中に入れ弔意を表すことができるものであって、宗教、宗派、年齢になんら係わりなく、誰もが簡単に自らの思いを記入できるものである。又、書きしるした内容は他人にみられることなく可燃性材料よりなる筒状の覆いでかくされるため、プライバシーも守られる。
造花は、生前故人の好んでいたものあるいは参列者の意思で選択できるため、特色のある短冊に弔辞を書きしるすことができる。
花短冊はあらかじめ弔辞を記入して通夜、告別式に持参することもでき、あるいは式場で配布して参列者にその場で記入してもらうこともできるものであって、この習慣が根付くことは今までにない故人に対する心のこもった贈り物となる。
［考案を実施するための最良の形態］【０００７】以下、本考案の実施の形態を図面に基づき説明する。
図１は、本考案お見送り用花短冊の実施の形態を示す表面図である。図中１は花短冊本体であり、短冊、花及び留金は全て紙、布、木片、プラステイック等の可燃性材料で成る。【０００８】また、花及び短冊の大きさは小さいものは名刺サイズから大きいものは色紙サイズまでと限定するものではない。
［実施例］【０００９】［産業上の利用可能性］【００１０】通夜、告別式で多くの参列者が弔辞を書きしるし、それを霊前に供え、かつ棺の中に入れてお別れすることは心のこもったお見送りと考えられる。
【図面の簡単な説明】
【００１１】［図１］
花短冊を示した平面図である。
［図２］
花短冊を花と短冊に分離した裏面の平面図である。
［図３］
短冊に花を留めた裏面の部分が見える側面図である。
【符号の説明】
【００１２】１  お別れの言葉を書く部分。
２  言葉を隠す筒部分。
３  造花の装着。
４  造花の軸を通す穴。
５  造花の裏面の軸部分。
６  造花の留金。
７  短冊に造花を装着した側面図
【図１】
0003107865.tif 000003
【図２】
0003107865.tif 000004
【図３】
0003107865.tif 000005
【手続補正書】
【提出日】平成16年9月17日(2004.9.17)
【手続補正１】
【補正対象書類名】実用新案登録請求の範囲
【補正対象項目名】全文
【補正方法】変更
【補正の内容】
［書類名］                  実用新案登録請求の範囲
［請求項１］
通夜、告別式において使用する弔辞表示用短冊において、
（１）可燃材料よりなる短冊本体。
（２）前記短冊本体の表面に装着する可燃材料によりなる造花。
（３）前記短冊本体上に設けられた弔辞記入部分。
（４）前記弔辞記入部分に弔辞記入後に、弔辞を他人から見られないように前記短冊本体を覆うための可燃材料からなる筒。
以上の構成からなる弔辞表示用短冊。
［請求項２］
短冊本体の表面に装着する可燃材料よりなる造花は、花の種類、大小簡単に変更可能としたことを特徴とする請求項１記載の弔辞表示用短冊。
(57)【要約】      （修正有）【課題】シャッターバルブの開閉による切換え作業を円滑にし、生コンクリートの遮断がよくなる機構にしたシャッターバルブを提供する。【解決手段】圧入装置仕切板２″をプレス加工で一体形成し、圧入口Ｃ′を断面の形が２等辺三角形に加工し抵抗を少く押さえる様にした。これにより、生コンクリートのしゃ断がよくなる機構にしたものである。【選択図】図５
0003107863.tif 000002
【実用新案登録請求の範囲】
【請求項１】
鋼管柱コンクリート圧入装置  左右にスライドさせるシヤツターバルブの仕切板を、プレス加工にて１体成形にした仕切板。
【請求項２】
圧入装置の左右にスライドさせるシヤッターバルブの仕切板の圧入口の断面の形が２等辺三角形をしている、形状にした仕切板。
【考案の詳細な説明】
【考案の詳細な説明】
この考案は鋼管柱にコンクリートを充填する圧入装置のシヤッターバルブでスライドする仕切板を改造したものである。
従来からある圧入装置の仕切板は図３−▲２▼の様に鉄板に圧入口図３−▲Ｃ▼と両端の立上り部分を溶接し、立上りの長い方のみに図３−▲２▼′の補強リブを溶接して組立てしたもので、本案はその欠点を除くために考案されたものである。
これを図面にて説明すれば圧入装置シヤッターバルブ仕切板、図８−▲２▼″の様にプレス加工で１体物にし、圧入口を９−Ｃ′の様に断面の形が２等辺三角形にしたもので、生コンクリートのしや断がよくなる機構にしたものである。
【図面の簡単な説明】
【図１】  従来からある圧入装置の平面図である。
【図２】  従来からある圧入装置の右側図面である。
【図３】  従来からある仕切板の平面図である。
【図４】  従来からある圧入装置の正面図でＲ−Ｌ線半断面図である。
【図５】  仕切板をプレスで加工し圧入口の断面の形を２等辺三角形に改造した圧入装置平面図である。
【図６】  仕切板を改造した圧入装置右側図面である。
【図７】  仕切板をプレス加工で１体物にして、圧入口の断面の形を２等辺三角形に改造した仕切板の平面図である。
【図８】  改造した仕切板の右側面図である。
【図９】  仕切板のＳ−Ｓ′線断面図でＣ′部の拡大図である。
【図１０】  圧入装置の取付作業要領斜視図である。
【図１１】  鋼管柱にコンクリート・ポンプ車で打設の要部斜視図である。
【符号の説明】
▲１▼    表板
▲２▼    仕切板
▲２▼′  補強リブ
▲２▼″  改造した仕切板
▲３▼    裏板
▲４▼    パイプ
▲５▼    継手用フランヂ
▲６▼    ブロック
▲７▼    補強板
▲Ａ▼    鋼管柱に取付用ボルト穴
▲Ｂ▼    圧入装置組立用ボルト
▲Ｃ▼    仕切板圧入口
▲Ｃ▼′  改造した仕切板圧入口
【図１】
0003107863.tif 000003
【図２】
0003107863.tif 000004
【図３】
0003107863.tif 000005
【図４】
0003107863.tif 000006
【図５】
0003107863.tif 000007
【図６】
0003107863.tif 000008
【図７】
0003107863.tif 000009
【図８】
0003107863.tif 000010
【図９】
0003107863.tif 000011
【図１０】
0003107863.tif 000012
【図１１】
0003107863.tif 000013
【手続補正書】
【提出日】平成16年9月24日(2004.9.24)
【手続補正１】
【補正対象書類名】実用新案登録請求の範囲
【補正対象項目名】全文
【補正方法】変更
【補正の内容】
【実用新案登録請求の範囲】
【請求項１】
鋼管柱コンクリート圧入装置のシヤッターバルブ圧入口を開閉する仕切板をプレス加工にて１体成形にした仕切板。
【請求項２】
仕切板圧入口の透孔の断面の形を２等辺三角形にして、閉じるときモルタル、粗骨材の切れを良くし滑りがよくなる構造にした請求項１記載の仕切板。
(57)【要約】【課題】従来、取り替えシートを使った掃除具があったが、使用中の抜けを防ぐことや見た目のほこりの保持量を訴求するため、シートの厚みと取り付け部の幅や厚みが増大し狭い箇所の奥に入りにくいという欠点があった。【解決手段】伸縮構造の柄の先端に、ブラシの柄のように撚った金属細棒を取り付け、その金属細棒に家具等に接触したとき傷つけないよう皮膜加工を施し、吸着剤を滲み込ませたシートにギザギザの切込みを入れ、箸袋のような長細い袋の周りに、シートを巻きつけて接着した取り替えシートを金属細棒に差し込み、付属の接着用テープで留めて使用する構成にしたことにより従来届きにくかった高所の奥や狭所の奥を容易に清掃することができる。【選択図】図４
0003107842.tif 000002
【実用新案登録請求の範囲】
【請求項１】
伸縮する柄の先に折り曲げ可能な金属細棒を着け、使いやすい角度を自由に設定でき、モール状の使い捨てシートを装着した、室内の高所や狭小部まで清掃できるハンディタイプのほこり掃除具。
【考案の詳細な説明】
【技術分野】
【０００１】
本考案は、家屋や車両の室内のほこりを清掃するためのハンディタイプの掃除具に関するものである。
【背景技術】
【０００２】
従来、ハンディタイプの掃除具は、柄に布製のモップを取り付けて繰り返し使用するものや、使い捨てのシートを取り付けて使用するタイプのものがある（例えば、特許文献１参照）。また、伸縮構造の柄の先に清掃用シートを付けて使用するものがある（例えば、特許文献２参照）。
【特許文献１】特開２００３−２８４６６０号公報
【特許文献２】特開２００４−４９６２８号公報
【考案の開示】
【考案が解決しようとする課題】
【０００３】
しかし、これらは、シートの着脱を容易にする、使用中に抜けを防ぐ、見た目のほこりの保持量を訴求する、先端部の角度を調整する構造等のために、幅や厚みが必要となり狭小な場所に本体が入りにくいという問題がある。
【課題を解決するための手段】
【０００４】
本考案は、  伸縮構造の柄の先端に、ブラシの柄のように撚った金属細棒を取り付ける。属細棒には家具等に接触したとき傷つけないよう皮膜加工を施す。吸着剤を滲み込ませたシートにギザギザの切込みを入れ、箸袋のような長細い袋の周りにシートを巻きつけて接着し、取り替えシートを作製する。取り替えシートを金属細棒に差し込み、付属の接着用テープで留めて使用する。以上の構成を最も主要な特徴とする。
【考案の効果】
【０００５】
本考案の掃除具によると、従来の用具では、入らなかった狭小部分のほこりを掃除することができる。  また、金属細棒を自由に曲げることができるので掃除箇所に応じて使いやすい角度を設定でき、曲げた部分の太さが変化しないので奥までスムーズに掃除することができる。
【考案を実施するための最良の形態】
【０００６】
高所・狭所・凹凸面のほこりをスムーズに掃除でき、取り替えシートもコンパクトでもほこりをしっかり保持でき、先端の角度も自在に調整できる掃除具を少ない部品点数で実現した。
【実施例】
【０００７】
図１、図２、図３、図４は、本考案の実施例の図である。
【図面の簡単な説明】
【０００８】
【図１】本考案の本体構造の斜視図である。
【図２】本考案の取り替えシートの分解図である。
【図３】本考案の取り替えシートの斜視図である。
【図４】本考案の使用状態の斜視図である。
【符号の説明】
【０００９】
１    伸縮構造の柄
２    金属細棒
３    吸着剤を滲み込ませたシート
４    長細い袋
５    取り替えシート
６    接着用テープ
【図１】
0003107842.tif 000003
【図２】
0003107842.tif 000004
【図３】
0003107842.tif 000005
【図４】
0003107842.tif 000006
(57)【要約】      （修正有）【課題】重厚感等の外観印象の高まった、荘厳性を備えた多様なお守り袋を提供する。【解決手段】お守り袋の表裏面を、異なる種類の織布(例えば、西陣織織布１とちりめん織織布２)を縫合接ぎ合わせて構成することを特徴とする。【選択図】図１
0003107848.tif 000002
【実用新案登録請求の範囲】
【請求項１】
お守り袋の表面または裏面を、異なった種類の織布を縫合接ぎ合わせて構成したことを特徴とするお守り袋。
【請求項２】
織布の一方が西陣織または金襴であることを特徴とする、請求項１記載のお守り袋。
【請求項３】
織布が色彩を異にする異なった種類の織布であることを特徴とする、請求項１または２記載のお守り袋。
【考案の詳細な説明】
【技術分野】
【０００１】
本考案は、社寺等で発行される護符の袋即ちお守りを収納する袋、特に携帯型のお守り袋に関するものである。
【背景技術】
【０００２】
従来社寺等で提供または販売されているお守り（袋）は、一般に、木綿地、織物、金襴など単一の織布で製作され、表面に金糸、銀糸などで社寺の紋章や守護・祈願の文字等が刺繍加工されていたり、また、捺染などでこれらの紋様が染色加工されているものが殆どである。また一部では、お守り袋の一部に着色した布や紙などを貼り付けたものもある。しかし、これらのものは全て１枚ものの布地で構成されているため、どちらかといえば軽薄な感があった。
【特許文献１】特開平０６−３１１９２４号公報
【考案の開示】
【考案が解決しようとする課題】
【０００３】
本考案は、前記従来の問題点を解消し、お守り袋の重厚感等の外観印象を高め、販売する社寺のご利益のあらたかさを閑かに参拝者に印象づける、荘厳性あるお守りを提供することを目的とする。
【課題を解決するための手段】
【０００４】
本考案によるお守り袋は、その表裏面を、異なった種類の織布を縫合接ぎ合わせて構成したことを特徴とするものである。即ち、織布の組み合わせおよび形成される縫合線により、多種多様な外観態様を有するお守り袋を作製することが可能となり、特に、本明細書等に示す具体的態様によっては、重厚感、荘厳性を備えたお守り袋が提供される。
【０００５】
本明細書中、異なった種類の織布とは、組織ないし素材、織り込まれている模様および形状等の、織布を構成する要素のいずれかないし全てが異なるものを意味する。組織とは、織布の構成組織、即ち、縦糸と緯糸の織込み構成を意味し、平織、斜文織、繻子織、紋織、重ね織、添手織等がある。素材とは、織布を構成する糸の材質を意味し、例えば、綿素材、絹素材、麻素材、アクリル素材、レーヨン素材、ポリエステル素材、キュプラ（ベルベルグ；登録商標）等である。模様とは、織布表面に表れる平面的図柄、絵柄を意味し、文字が装飾目的でまばらに配置され、織込まれているものを含む。形状とは、布の表面に表れる立体的外観態様を意味し、凹凸形状、起毛状等である。
本考案のお守り袋は、略長方形扁平形状、円形扁平形状、立体形状等、いかなる形状のものであってもよい。
【考案の効果】
【０００６】
本考案により、前述のごとく、多種多様な外観態様を有する、重厚感、荘厳性、あらたかみのあるお守り袋を提供することが可能となる。
【考案を実施するための最良の形態】
【０００７】
[実施例] 
添付の図面により、本考案のお守り袋およびその作製方法を説明する。図１は、本考案のお守りの１例である携帯型山型五角形形状のお守り袋であって、表裏面ともに、中央部を構成する西陣織の織布１（緑色）の両側に、ちりめん織の織布２（黒色）が、お守り袋の中央線に平行に縫合線３を形成して縫合接ぎ合わされて成るお守り袋の正面図Ａ、背面図Ｂおよび底面図Ｃを示す。正面中央には、金糸で紋および文字１ａが織り込まれている。図２は、図１に示すお守りの各部を構成する織布、即ち、中央部を構成する帯状の西陣織布１および両側部を構成する帯状のちりめん織布２の展開図（裏面）を示す。織布１および織布２は、共に、{お守り袋の高さｈ（本例では７．５ｃｍ）＋お守り袋上端折り返し分４の長さｈ’(本例では０．５ｃｍ）}×２の長さを有する。織布１は４ｃｍ、織布２は２ｃｍの巾をそれぞれ有する。織布１と帯布２の帯縁を揃えて中表にし、当該帯縁から０．５ｃｍ中央部側の箇所を直線縫合する。形成された縫い代は、両側側に倒す。こうして作製した、１枚となった帯状の布（以下、接合布と呼ぶ）の上端および下端４を裏面側に、０．５ｃｍ（ｈ’）折り返す（図３）。次いで、当該接合布の裏面に、{ｈ未満（本例では７．３ｃｍ）×２}の長さで接合布と同幅（本例では５．５ｃｍ）の布帛を載せ、これを中表に二つ折りし、両縁から０．３ｃｍ中央部側の箇所を直線縫合する。中表となっている表面を外表に返す。袋状となったお守り袋本体の上端左右角を内側に折り込み、お守り上端の山型形状を作成する。この上端部に錐等で穴を開け、付紐を通して正面で結ぶ（５）（図１Ａ）。緑色の西陣織織布１と黒色のちりめん織布２という、織り方、素材、色彩等の構成、およびお守り袋中心線に平行に縫合線３が形成した構成により、従来にない、閑かな荘厳性を備えた、重厚なお守り袋が出来上がる。
【０００８】
前記実施例において用いた織布の代わりに、橙色の西陣織布と黒色のちりめん織布の組み合わせを用いる等、色彩を変更して作製しても、重厚感、荘厳性が出る。また、中央部の西陣織布の両端にちりめん織布を中心線に平行に縫合線を形成して縫合接ぎ合わせる構成に代えて、さらなる織布をお守り袋中心線に対して、例えば垂直もしくは斜めに接ぎ合わせ縫合線を形成するように上部ないし下部に縫合接ぎ合わせても、本考案の目的は達成される。
【産業上の利用可能性】
【０００９】
本考案により、販売する社寺の所望の個性、ご利益を十分に表現する、荘厳性ある多様なお守りを提供することが可能となる。
【図面の簡単な説明】
【００１０】
【図１】図１は、本考案のお守り袋の１例である携帯型山型五角形形状のお守り袋の正面図Ａ、背面図Ｂおよび底面図Ｃである。
【図２】図２は、お守り袋の各部を構成する織布の展開図（裏面）である。１は中央部を構成する西陣織の織布（緑色）、２は両側部を構成するちりめん織の織布（黒色）である。
【図３】図３は、各織布が縫合接ぎ合わされて１枚となった布（接合布と呼ぶ）の裏面を示す図である。
【符号の説明】
【００１１】
１    西陣織織布（緑色）
１ａ  紋および文字（金糸）
２    ちりめん織織布（黒色）
３    縫合線
４    折り返し部分
５    付紐の結び目
ｈ    お守り袋の高さ
ｈ’  折り返し分の長さ
【図１】
0003107848.tif 000003
【図２】
0003107848.tif 000004
【図３】
0003107848.tif 000005
(57)【要約】【課題】本考案は、字を書いたり本を読むとき、正しい姿勢を保持することができるようにする姿勢保持具で、正しい姿勢で字を書いたり、読書出来るようにすることによって、ノートや本等と目の距離が近くなりすぎないようし、悪い姿勢で近視になることを予防する。【解決手段】本考案は、両端に容易に着脱できる対の結束器２ａ、２ｂを有する鉢巻１の後部分に長さ調節器４を有するバンド２を設け、当該バンド２の先端に衣服等に係脱容易な結束器５を有することを特徴とする姿勢保持具で、結束器２ａ、２ｂにより鉢巻１を使用者の頭６ａに巻き、バンド先端の結束器５により使用者腰部の衣服６ｂとを結束させることによって、姿勢が悪くなったらバンドの引っ張り力が使用者の頭に働き使用者に気づかせると共に物理的にそれ以上悪い姿勢にならないようにし、近視になることを予防する。【選択図】    図２
0003107900.tif 000002
【実用新案登録請求の範囲】
【請求項１】
両端に容易に着脱できる対の結束器を有する鉢巻の後部分に長さ調節器を有するバンドを設け、当該バンドの先端に衣服等に容易に係脱できる結束器を有することを特徴とする姿勢保持具
【考案の詳細な説明】
【技術分野】
【０００１】  本考案は、字を書いたり本などを読むときに正しい姿勢を保持するよう考案された姿勢保持具に関するものである。
【背景技術】
【０００２】  字を書いたり、本などを読むとき、長時間正しい姿勢を維持することは難しく、首が曲がって頭が下がったり、背中が丸くなったりして、気づかない内にノートや本と目の距離が近くなり、近視の原因の一つになることがあったが、これまで姿勢を正しく保持することを助ける適切な器具がなかった。
【考案の開示】
【考案が解決しようとする課題】
【０００３】  本考案は、誰でも簡単に着脱でき、着用していることに違和感を与えないで姿勢を正しく保つことが出来る姿勢保持具であり、その着用により、前述の課題を解決しようとするものである。
【課題を解決するための手段】
【０００４】  本考案は、容易に頭に巻いたり取り外したりすることが出来る結束器を有する鉢巻の後部分に長さ調節器を有するバンドを設け、当該バンドの先端に衣服等と容易に係脱出来る結束器を有することを特徴とする姿勢保持具で、結束器で頭に鉢巻を巻き、バンド先端の結束器で腰部の衣服にバンドを結束することによって、頭と腰部の距離が調節された長さ以内に制限されるので、首が曲がって頭が下がったり背中が九くなったりして、ノートや本等と目の距離が不適切に近づく問題を解決する。
【考案の効果】
【０００５】  上述のように、本考案の姿勢保持具は使用者が鉢巻を頭に締めて、バンドの長さを適切に調整してその先端の結束器で使用者腰部の衣服に結束すれば、頭と腰部の距離は調節された距離以内に制限されるので、首を前に曲げたり、背中を丸くしたりすることが出来ない。
正しい姿勢を保っているときはバンドが緩く頭に力がかからず着用に違和感がないが、姿勢が悪くなろうとすると頭と腰部の距離が長くなり、バンドを介して頭に引っ張り力が働き、使用者が自らその力に気づき、正しい姿勢に戻そうとする意識が働く。
その結果、ノートや本等と目の距離は適正に保たれ、近視の予防に役立つ。
【考案の形態】
【０００６】  以下、本考案の形態を図面１に従って説明する。本考案は、１は鉢巻、２ａ、２ｂは鉢巻１を容易に頭に巻いたり取り外したりするための対の結束器、３は鉢巻１に一体化されたバンド、４はバンド長さ調節器、５はバンドを衣服等に容易に着脱できる結束器で構成されたものである。
【実施例】
【０００７】  以下、本考案の実施例を図面２に従って説明する。本考案は、使用者の頭６ａに接する部分は軟らかく、汗を吸収し易い綿布等適宜素材で、頭に接しない部分は伸びに強く、しっかりとしたナイロン等適宜素材にて形成された鉢巻１を当該鉢巻に設けたマジックテープまたはホック等の結束器２ａ、２ｂによって使用者の頭６ａに巻く。引っ張りに強いナイロンや合成皮革等適宜素材で形成されたバンド３を背中の方に垂らし、当該バンドの先端に設けられた容易に着脱できるプラスチックまたは金属のフック等の結束器５で使用者のズボンやスカート等腰部衣服６ｂに結束する。ノートや本と目の距離が適切になるよう長さ調節器４によりバンドの長さを調節する。一旦長さ調節を適正に行えば再利用時に都度長さ調節器４による調節は不要である。
使用者が正しい姿勢のときはバンド３は若干緩んだ状態にしておけば使用者は何ら抵抗を受けないので着用に違和感がないが、姿勢が悪くなってくると頭６ａと腰部衣服６ｂの距離が伸びようとするので、バンド３が引っ張られる。その状態で使用者は頭６ａに力を感じるので、自己の姿勢が悪くなったことに気づき、自ら姿勢を正す意識が生まれる。使用者が姿勢を正せば頭にかかる力は解消される。使用者自らが姿勢を正さない限り頭にかかる力は継続し、ノートや本等と目の距離がそれ以上近づくことはない。
使用者自らの手で容易に当姿勢保持器を取り外し、その使用を終えることができる。
【産業上の利用可能性】
【０００８】  本考案は、単に字を書いたり読書したりするときに正しい姿勢を保持するためだけに止まらず、つい姿勢が悪くなりがちな細かな作業をするときにも役立つ。
また、既に近視の人でも、本考案の姿勢保持具を使用して正しい姿勢を維持できれば更なる近視の進行を遅らせることが出来る。
上述のことから、本考案は姿勢保持力の未熟な児童、長時間目を酷使する受験生やパソコン画面を凝視する就労者等多くの人の近視予防器具として役立つものである。
【図面の簡単な説明】
【０００９】
【図１】  平面図
【図２】  本考案使用例側面図
【図３】  本考案使用例背面図
【符号の説明】
【００１０】  １              鉢巻
２ａ、２ｂ      結束器
３              バンド
４              長さ調節器
５              結束器
６ａ            使用者の頭
６ｂ            使用者腰部の衣服
【図１】
0003107900.tif 000003
【図２】
0003107900.tif 000004
【図３】
0003107900.tif 000005